(57)【要約】【課題】  本発明の担架落下防止機構の課題は、入浴者の安全を図り、担架を浴槽に移乗する際に担架が台車から落下しないようにすることにある。【解決手段】入浴者をのせる担架（２）と、担架（２）を載せる台車（１）と、台車（１）を接合する浴槽（３）とからなり、搬送時は台車（１）上に担架（２）がセッティングされ、入浴時は担架（２）が台車（１）から分離し担架（２）のみ浴槽（３）に入る特殊入浴装置において、台車（１）と浴槽（３）の接合を検出する接合検知具（６）と、担架（２）の落下を阻止する阻止具（５）を備え、接合検知具（６）と阻止具（５）の作用によって、台車（１）が浴槽（３）にドッキングしている時以外は、担架（２）は台車（１）から分離しないことを特徴とする担架落下防止機構である。【選択図】      図１
2006006382.tif 000002
【特許請求の範囲】
【請求項１】
入浴者をのせる担架（２）と、担架（２）を載せる台車（１）と、台車（１）を接合する浴槽（３）とからなり、搬送時は台車（１）上に担架（２）がセッティングされ、入浴時は担架（２）が台車（１）から分離し担架（２）のみ浴槽（３）に入る特殊入浴装置において、台車（１）と浴槽（３）の接合を検出する接合検知具（６）と、担架（２）の落下を阻止する阻止具（５）を備え、接合検知具（６）と阻止具（５）の作用によって、台車（１）が浴槽（３）にドッキングしている時以外は、担架（２）は台車（１）から分離しないことを特徴とする担架落下防止機構。
【請求項２】
担架（２）は、台車（１）と浴槽（３）の接合面方向にのみ摺動可能であることを特徴とする担架落下防止機構。
【請求項３】
担架（２）を台車（１）の所定位置に自動掛止でき及び手動解除できる中央阻止具（４１）と、阻止具（５）とが共に設けられることを特徴とする請求項１記載の担架落下防止機構。
【請求項４】
台車（１）と担架（２）に亘って浮き上がり防止具（５２）が設けられ、担架（２）が台車（１）に載っている時には、担架（２）が台車（１）から上方向へ離間しないことを特徴とする請求項１記載の担架落下防止機構。
【発明の詳細な説明】
【技術分野】
【０００１】
本発明は、介護を必要とする人が入浴する時に使用される担架落下防止機構に関する。
【背景技術】
【０００２】
従来の技術には、一方担架載せ台、他方担架載せ台、担架、一方レール、他方レール、他方基体、一方基体、駆動機構、担架のオーバーランを止めるストッパー等からなる担架脱落防止装置が開示されている。
【０００３】
従来の技術に係る担架転落防止装置は、担架が浴槽に移乗した後、浴槽から転落することを阻止するが、台車から担架が転落することを防ぐ転落防止具が台車に設けられておらず、担架が台車から転落する恐れがある。
【特許文献１】実登２５９５３８９号公報
【発明の開示】
【発明が解決しようとする課題】
【０００４】
解決しようとする問題点は、担架を浴槽側へ移乗させる際、台車が浴槽に接合出来ていない時に、誤って、担架を浴槽側へ移乗させてしまい、担架を台車から落下させる、という危険性があった点である。
【課題を解決するための手段】
【０００５】
本発明の目的は、入浴者の安全を図ったものであり、担架を浴槽に移乗する際に担架が台車から落下しないようにした担架落下防止機構を提供することである。
【０００６】
即ち本発明は、入浴者を乗せる担架（２）と、担架（２）を載せる台車（１）と、台車（１）を接合する浴槽（３）とからなり、搬送時は台車（１）上に担架（２）がセッティングされ、入浴時は担架（２）が台車（１）から分離し担架（２）のみ浴槽（３）に入る特殊入浴装置において、台車（１）と浴槽（３）の接合を検出する接合検知具（６）と、担架（２）の落下を阻止する阻止具（５）を備え、接合検知具（６）と阻止具（５）の作用によって、台車（１）が浴槽（３）にドッキングしている時以外は、担架（２）は台車（１）から分離しないことを特徴とする担架落下防止機構である。
又、担架（２）は、台車（１）と浴槽（３）の接合面方向にのみ摺動可能である。
更に、担架（２）を台車（１）の所定位置に自動掛止でき及び手動解除できる中央阻止具（４１）と、阻止具（５）とが共に設けられる。
更に又、台車（１）と担架（２）に亘って浮き上がり防止具（５２）が設けられ、担架（２）が台車（１）に載っている時には、担架（２）が台車（１）から上方向へ離間しない。
【発明の効果】
【０００７】
本発明は、台車１と浴槽３の接合を検出する接合検知具６と、担架２の落下を阻止する阻止具５を備え、接合検知具６と阻止具５の作用によって、台車１が浴槽３にドッキングしている時以外は、担架２は台車１から分離しないものであるから、台車１が浴槽３に確実にドッキングされていない時に、誤って担架２を浴槽３へ移動させようとしても、阻止具５によって、担架２は台車１から分離せず、担架２を台車１から落下させることはなく、担架２上の入浴者の安全を図ることができ、担架２その他の装置の破損も免れ、好都合である。
【０００８】
本発明に係る担架２は、台車１と浴槽３の接合面方向にのみ摺動可能であるから、介助者が誤って担架２を、台車１と浴槽３の接合面方向とは逆の方向へ移動させようとしても、阻止具５によって担架２の摺動は阻止され、担架２は台車１の、浴槽３の接合面方向とは逆の方向から落下することはなく、好都合である。
【０００９】
本発明は、担架２を台車１の幅方向中央に自動掛止でき及び手動解除できる中央阻止具４１を、阻止具５と共に設けるものであるから、走行時、移乗時共に、担架２を台車１上に確実に掛止でき、安全性がより高まり、好都合である。
【００１０】
本発明は、台車１と担架２に亘って浮き上がり防止具５２が設けられ、担架２が台車１に載っている時には、担架２が台車１から上方向へ離間しないから、担架２に偏荷重が掛かって或いは湯による浮力が作用して、担架の一部が浮き上がって傾斜しようとしても、浮き上がり防止具５２が作用して担架２は浮き上がることはなく、阻止具５が適切に作用し、台車１に担架２を適切に保持でき、好都合である。
【発明を実施するための最良の形態】
【００１１】
本発明の台車１に担架２を載せ、該担架２に入浴者を乗せ、入浴者を運ぶ。台車１に設けられる阻止具５は、担架２が台車１の幅方向に移動することを阻止する。台車１を浴槽３にドッキングする。ドッキングが完了した後、担架２を、台車１の幅方向に摺動し、浴槽３の架台４へ移乗し、浴槽３を昇降機構（図示省略）で上昇させ、入浴者を湯中に浸け、入浴を行なう。
【００１２】
台車１において、浴槽３と接合する接合部２０に設けられた接合検知具６は、台車１を浴槽３に接合させると所定の作用をなし、該作用によって阻止具５が解除する。台車１が浴槽３にドッキングしている時以外は、台車１上の担架２は、台車１から分離しない。即ち、担架２は、阻止具５及び接合検知具６からなる落下防止機構５６によって、横方向への摺動を阻止され、台車１上にロックされる。
【００１３】
台車１の幅方向（＝横断方向）の両端に阻止具５が設けられており、浴槽３に担架２をドッキングさせた時、台車１において、浴槽３と接合する側の阻止具５が解除され、浴槽３と接合する側とは反対側の阻止具５は解除されない。従って、担架２は、台車１と浴槽３の接合面方向にのみ摺動可能である。
【００１４】
中央阻止具４１は、担架２を台車１の所定位置（＝具体例では、幅方向中央）に自動掛止し及び手動解除できる。台車１及び担架２からなる本発明装置に、中央阻止具４１と阻止具５が併設される。
【００１５】
浮き上がり防止具５２は、台車１と担架２に亘って設けられ、担架２が台車１から浮き上がらないように掛止する。担架２が台車１に載っている時には、担架２は台車１上面を摺動することは可能であるが、台車１からは上方向へ離間しない。即ち、担架２は浮上分離しない。
【実施例１】
【００１６】
図１乃至８に本発明に係る担架落下防止機構の実施例１を示している。実施例１の台車１に担架２を載せ、該担架２に入浴者を乗せ、床面を走行し入浴者を運ぶ。
【００１７】
台車１を浴槽３に接合し、接合が完了した後、担架２を、台車１の幅方向に摺動し浴槽３の架台４へ移乗する。次に、浴槽３を上昇させ、担架２及び入浴者を湯に浸け入浴を行なう。実施例１は、阻止具５及び接合検知具６を台車１の幅方向の両側に設けたものである。
【００１８】
台車１は、下フレーム７と、下フレーム７に立設される内・外支柱８・９と、下フレーム７に載設される中水受台１０と、内・外支柱８・９に支持される上フレーム１１と、上フレーム１１に載設される前・後水受台１２・１３と、上フレーム１１に延設される前・後ハンドル１４・１５と、下フレーム７の下面に設けられる四個の車輪１６と、車輪１６にブレーキを掛ける前・後ペダル１７・１８とから構成される。
【００１９】
上フレーム１１には担架２を載せる前・後レール１９ａ・１９ｂが載設され、該後レール１９ｂの幅方向の左右端部に阻止具５（＝左阻止具５ａ、右阻止具５ｂ）が設けられる。
【００２０】
詳しくは、前記後レール１９ｂの左端部位に左阻止具５ａが設けられ、後レール１９ｂの右端部位に右阻止具５ｂが設けられる。前・後レール１９ａ・１９ｂの幅方向の中央部位のそれぞれには、穴２１が開設された穴片２２が水平面状に取着される。レール１９には水平方向に突起する凸形浮き上がり防止金具５０が設けられる。
【００２１】
下フレーム７の前後方向（＝縦方向）の略中央の左右方向（＝幅方向、横断方向）の縁部は、浴槽３と接合する接合部２０である。幅方向の縁部に位置する左・右下フレーム部７ａ・７ｂの接合部２０にそれぞれ接合検知具６が設けられる。詳しくは、左フレーム部７ａに左接合検知部６ａが設けられ、右フレーム部７ｂに右接合検知部６ｂが設けられる。
【００２２】
台車１には、阻止具５、接合検知部６等からなり台車１上の担架２の落下を防止する落下防止機構５６が設けられる。阻止具５は、レール１９の延設方向の両端部位に取着される。具体的には、阻止具５は、後レール１９ｂに取り付けられる筒体２３と、筒体２３に収納されて上下方向に進退するピン２４と、ピン２４を上方へ付勢するバネ２５とからなる。前記ピン２４の下部には、該ピン２４を下方へ引っ張るワイヤー２６が連結される。上方へ突出したピン２４は、担架２のローラーフレーム４０に取着された後述する凹形浮き上がり防止金具５１に当たって該ローラーフレーム４０の進行を阻止する位置に取り付けられている。
【００２３】
接合検知部６は、下フレーム７に取着される取付具２７と、アーム２８と、軸２９とからなる。
アーム２８は、浴槽側フレーム３０に当接する当接部３１と、ワイヤー２６が連結される作用部３２とからなる。
【００２４】
アーム２８の作用部３２には、アーム２８に引っ張られるワイヤー２６が連結される。該ワイヤー２６の他端は前記ピン２４に連結される。
【００２５】
上述のように、阻止具５は、レール１９に取着され進退動するピン２４で構成され、接合検知具６は、浴槽３に当たって動くアーム２８で構成され、阻止具５は、接合検知具６とワイヤー２６で連結され、台車１を浴槽３に接合すると、アーム２８が動き、該アーム２８に連動してピン２４が退入し担架２の移動を可能にするものであるから、構成が簡素であり、製作に係る経費を安価にでき、又、進出させたピン２４で、担架２の無用の移動を確実に阻止でき、安全性が高い。
【００２６】
又、阻止具５は、レール１９の端部位に取着され、台車１を浴槽３に接合していない時は、台車１に載せられた担架２を台車１の幅方向の端から突出することを阻止し、台車１を浴槽３に接合すると、前記担架２の前記突出を可能にするものであるから、ピン２４の作動状況が目視容易であり、安全確保の操作を行ない易い。
【００２７】
又、接合検知具６は台車１の接合部２０に取着されているので、台車１の接合作動に合わせて確実に阻止具５を作動させることができ、担架２が台車１から落下することを防ぐと共に、担架２の移乗を円滑に実施できる。
【００２８】
更に、台車１の幅方向の両側にそれぞれ阻止具５及び接合検知具６が設けられ、台車１を浴槽３に接合すると、接合した側の阻止具５のみが解除され、浴槽３に接合しない他方側の阻止具５は解除されないから、浴槽３接合時に、台車１における浴槽３側とは反対側に、担架２が移動していっても、阻止具５が作用し、担架２が台車１から落下せず、安全である。
【００２９】
後水受台１３の左右両側面には、台車１が浴槽３に接合された状態を示す表示部５３が設けられる。表示部５３は、後水受台１３の側面部材を開口してなる窓５５の内側に着色した可動板５４を設けてなる。可動板５４はワイヤー２６を介してアーム２８に連結される。台車１が浴槽３に接合されていない時には表示部５３は赤色を表示しており、台車１が浴槽３に接合されている時には可動板５４が摺動し青色に変更されて表示される。
【００３０】
担架２は、担架基フレーム３３と、下体乗部３４と、上体乗部３５と、枕３６と、握り手３７と、ハンドル３８と、複数のローラー３９を取り付け担架基フレーム３３の下面に設けられるローラーフレーム４０とからなる。ローラーフレーム４０の幅方向中央部には中央阻止具４１が設けられる。（図８参照）
ローラー３９は、担架２が台車１に移乗されている時、レール１９上を転動するものである。
【００３１】
台車１と担架２に亘って浮き上がり防止具５２が設けられる。
詳しくは、担架２のローラーフレーム４０に凹形浮き上がり防止金具５１が設けられ、該凹形浮き上がり防止金具５１は、担架２が台車１に載っている時、前記台車１の凸形浮き上がり防止金具５０の片側壁に係り合い、担架２を台車１から浮上分離させないものである。
浮き上がり防止具５２は、担架２の水平方向への摺動を妨げない。
【００３２】
図８に示す中央阻止具４１は、ローラーフレーム４０に取着される筐体４２と、筐体４２に収納されて上下方向に進退する掛止片４３と、掛止片４３を下方へ付勢するスプリング４４と、掛止片４３を上方へ退入させる手動解除具４５とからなる。
【００３３】
掛止片４３はスプリング４４の伸展力により下方へ進出し、前記台車１の穴２１に嵌るものであり、該掛止片４３を有する中央阻止具４１は担架２を台車１に掛止するものである。担架２及び台車１には、担架２を台車１の幅方向中央位置に自動掛止でき及び手動解除できる中央阻止具４１と、阻止具５とが併設される。
【００３４】
図１中、４６はシャワー掛止具、４８は前後のロックペダルを連結するリンク、４７は台車１を浴槽３に掛止し又は解除する接合止具、５７は位置決めローラー、図７中、４９は緩衝材である。
【００３５】
本発明を使用する際は、台車１上に準備された担架２に入浴者を乗せる。
台車１を走行させ、入浴者を運ぶ。台車１を浴槽３に接合する。接合止具４７が掛かって接合が完了した後、中央阻止具４１を手動で解除し、担架２を台車１の幅方向に摺動する。担架２は、台車１と浴槽３の接合面方向にのみ摺動可能である。
【００３６】
担架２の手動解除具４５を引き中央阻止具４１を解除しておいて、担架２の幅方向の側部を押し、担架２を台車１から浴槽３の架台４へ移乗させる。担架２が架台４の幅方向中央に来ると自動的に架台中央阻止具（図示省略）により掛止される。次に、湯を満たした浴槽３を昇降機構（図示省略）で上昇させ、担架２及び入浴者を湯に浸け、入浴を行なう。
【００３７】
適宜な時間が経過すると、浴槽３を下降させ、担架２及び入浴者を湯から出し、退浴する。担架２の手動解除具４５を引き中央阻止具４１を解除したまま、担架２を、浴槽３の架台４から浴槽３に接合された台車１へ移乗する。担架２が台車１の幅方向中央に来ると自動的に中央阻止具４１により掛止される。
【００３８】
台車１の接合止具４７を解除し、台車１を浴槽３から離間し、患者を移動し、所望位置に戻し入浴作業を完了する。
【００３９】
担架２の中央阻止具４１の作用は、担架２を幅方向に摺動させて行く時該中央阻止具４１に係る掛止片４３が、台車１の穴片２２の穴２１上に至った瞬間に該穴２１に嵌って、担架２を台車１の幅方向の中央で自動掛止する。
中央阻止具４１を解除する際は、介助者は手動解除具４５を担架２の外方向に引き、掛止片４３を上方へ退入させて解除を行なう。
【００４０】
台車１と浴槽３の接合を検出する接合検知具６と、担架２の落下を阻止する阻止具５を備え、接合検知具６と阻止具５の作用によって、
台車１が浴槽３にドッキングしている時以外は、担架２は台車１から分離しない。
【００４１】
阻止具５の阻止作用は、担架２をレール１９上を横移動させた時、ピン２４に、担架２のローラーフレーム４０が当たって、台車１からの担架２のはみ出しを阻止する。この阻止作用により、担架２が台車１から落下することはない。
前記ピン２４が退入し且つ中央阻止具４１を解除している時には、担架２は台車１の幅方向にはみ出して移動できる。
【００４２】
台車１を浴槽３に接合させると、台車１に設けられた浴槽３側のアーム２８が、浴槽３の浴槽フレーム３０に当接して台車１側へ移動し、その移動によってワイヤー２６基端を引っ張る。
【００４３】
ワイヤー２６の先端はピン２４を引っ張り、ピン２４を下方へ退入させる。ローラーフレーム４０の側部にピン２４が突出していないから、担架２は移動経路中に障害物は無く台車１からはみ出しが可能な状態となる。
この状態下で、介助者は、担架２を台車１からの架台４へ移乗させ、逆に、架台４から台車１へ移乗させる。
【００４４】
図１において、浴槽３側とは反対側にある台車１の左阻止具５ａ及び左接合検知具６ａは、浴槽３に接合しないから作動せず、左阻止具５ａは解除されない。この接合状態下では、浴槽３とは反対側へ担架２を摺動させようとしても、担架２は、左阻止具５ａに摺動を阻止され、台車１からはみ出さず台車１から落下しない。
【実施例２】
【００４５】
実施例２は、図示を省略するが、実施例１の接合検知具６をリミットスイッチに代え、ワイヤー２６を電線に代え、阻止具５をソレノイドに代えた電気式落下防止機構である。ソレノイドの電源は充電電池とする。台車１を浴槽３に接合した時、浴槽３に当たってリミットスイッチが働き、リミットスイッチが働いたことによりソレノイドが働き、ソレノイドがピン２４を退入させる。
【００４６】
ピン２４が進出している時には該ピン２４はローラーフレーム４０の進行を阻止し、担架２は横移動が不可能となり、ピン２４が退入している時には担架２は横移動が可能となる。
【００４７】
充電電池の代わりに、浴槽３及び台車１の両者接合部位に電力を授受できるコネクターを設け、台車１を浴槽３に接合した時、浴槽３から台車１へ電力を供給するものとしてもよい。尚、前記リミットスイッチを近接スイッチに代えてもよい。
【００４８】
又、実施例１の可動板５４を有する表示部５３を、ランプ、ブザー又はスピーカーに代えてもよい。ランプ、ブザー又はスピーカーでなる表示部５３の作動状況の一例を述べると、ランプの場合は、台車１が浴槽３に接合した時は点灯し、非接合時は消灯する。又は、接合時は青色を点灯し、非接合時は赤色を点灯する。
【００４９】
ブザーの場合は、台車１が浴槽３に接合した時はブザー音を発音し、非接合時は消音する。スピーカーの場合は、台車１が浴槽３に接合した時は音声又はメロディー音を発音し、非接合時は消音する。
【産業上の利用可能性】
【００５０】
台車１に、浴槽３に接合した時のみ自動的に解除する阻止具５を設け、又、前記阻止具５を簡素な構成とし、安全に入浴介助できる担架落下防止機構１に適用できる。
【図面の簡単な説明】
【００５１】
【図１】本発明の実施例１の平面図である。
【図２】本発明の実施例１の正面図である。
【図３】本発明の実施例１の左側面図である。
【図４】本発明の実施例１に係る阻止具を図１のＡ−Ａ矢視方向から見た部分側面図である。
【図５】本発明の実施例１に係る阻止具を示す部分平面図である。
【図６】本発明の実施例１に係る接合検知具を示す部分側面図である。
【図７】本発明の実施例１に係る接合検知具を示す部分平面図である。
【図８】本発明の実施例１に係る中央阻止具を示す部分断面図である。
【符号の説明】
【００５２】
１    台車
２    担架
３    浴槽
５    阻止具
６    接合検知具
４１    中央阻止具
５２    浮き上がり防止具
【図１】
2006006382.tif 000003
【図２】
2006006382.tif 000004
【図３】
2006006382.tif 000005
【図４】
2006006382.tif 000006
【図５】
2006006382.tif 000007
【図６】
2006006382.tif 000008
【図７】
2006006382.tif 000009
【図８】
2006006382.tif 000010